(57)【要約】【課題】高い遮音性能を有し、しかも現場における施工に手間がかからない建築物の遮音建築材料及び建築物の遮音床構造を提供する。【解決手段】建築物の遮音床４１では、合板２と支持板４３との間には遮音構造材３が介在している。そして遮音構造材３は、保持部材７によって二本のフレーム部材５が一定の間隔を空けて保持されている。また、保持部材５のごく小さい面積部分だけが合板２と支持板４３に接触しており、しかも保持部材５は中空部２３を有し、天板１５と底板１７とは薄板状の左右の側板９だけで連結されている。このため、遮音構造材３は上方から下方へ音（振動）を伝達する部分の横断面積が極めて小さい。従って、上層階において発生した音は下層階には殆ど伝わらず、この建築物の遮音床４１は高い遮音性能を発揮することになる。【選択図】        図６
2007314969.tif 000002
【特許請求の範囲】
【請求項１】
建築物の床等を構成する板材と、前記板材に裏面に固定された遮音構造材とから成り、前記遮音構造材は剛性材料から成る二本のフレーム部材と、前記フレーム部材を一定の間隔を開けて保持する弾性材によって構成された保持部材とから成ることを特徴とする建築物の遮音建築材料。
【請求項２】
請求項１に記載した建築物の遮音建築材料において、保持部は中空部を有し、前記中空部には吸音性能をもつ介装材が介装されていることを特徴とする建築物の遮音建築材料。
【請求項３】
請求項１または２に記載した建築物の遮音建築材料において、板材の裏面には吸音材が備えられていることを特徴とする建築物の遮音建築材料。
【請求項４】
請求項１から３のいずれかに記載した建築物の遮音建築材料において、板材には少なくとも二つの遮音構造材が備えられていることを特徴とする建築物の遮音建築材料。
【請求項５】
請求項４に記載した建築物の遮音建築材料において、板材は矩形であり、前記板材の左右一方側の端部に備えられた遮音構造材は備えられた側の板材の端面よりはみ出して配置され、他の遮音構造材は板材の左右他方側の端面から左右一方側へ前記遮音構造材のはみ出した寸法以上の距離、寄った位置に備えられていることを特徴とする建築物の遮音建築材料。
【請求項６】
請求項１から５のいずれかに記載した建築物の遮音建築材料において、板材は矩形であり、遮音構造材は前後方向の一端部が板材の端面より突出しており、他端部が前記一端部の突出寸法以上の距離、板材の端面より一端部側へ入り込んでいることを特徴とする建築物の遮音建築材料。
【請求項７】
請求項１から６のいずれかに記載した建築物の遮音建築材料を、板材の端面どうしが接合するように組み合わされて構成したことを特徴とする建築物の遮音床構造。
【発明の詳細な説明】
【技術分野】
【０００１】
本発明は建築物の遮音建築材料及び建築物の遮音床構造に係り、特に、高い遮音性能を有し、しかも現場における施工に手間がかからない建築物の遮音建築材料及び建築物に関するものである。
【背景技術】
【０００２】
二階建以上の建物では、上層階の音が下層階に響かないようにするために上層階の床を遮音構造としている。この遮音構造としては、上層階の床と下層階の天井との間に発泡性合成樹脂を介装したものなど種々ものが採用されているが、いずれも十分な遮音性能を発揮できていないのが現状である。
また、従来の遮音構造は現場施工に手間がかかるという問題もある。
【発明の開示】
【発明が解決しようとする課題】
【０００３】
本発明は上記従来の問題点に着目して為されたものであり、高い遮音性能を有し、しかも現場における施工に手間がかからない建築物の遮音建築材料及び建築物の遮音床構造を提供することを、その目的とする。
【課題を解決するための手段】
【０００４】
本発明は上記課題を解決するためになされたものであり、請求項１の発明は、建築物の床等を構成する板材と、前記板材に裏面に固定された遮音構造材とから成り、前記遮音構造材は剛性材料から成る二本のフレーム部材と、前記フレーム部材を一定の間隔を開けて保持する弾性材によって構成された保持部材とから成ることを特徴とする建築物の遮音建築材料。
【０００５】
請求項２の発明は、請求項１に記載した建築物の遮音建築材料において、保持部は中空部を有し、前記中空部には吸音性能をもつ介装材が介装されていることを特徴とする建築物の遮音建築材料である。
【０００６】
請求項３の発明は、請求項１または２に記載した建築物の遮音建築材料において、板材の裏面には吸音材が備えられていることを特徴とする建築物の遮音建築材料である。
【０００７】
請求項４の発明は、請求項１から３のいずれかに記載した建築物の遮音建築材料において、板材には少なくとも二つの遮音構造材が備えられていることを特徴とする建築物の遮音建築材料である。
【０００８】
請求項５の発明は、請求項４に記載した建築物の遮音建築材料において、板材は矩形であり、前記板材の左右一方側の端部に備えられた遮音構造材は備えられた側の板材の端面よりはみ出して配置され、他の遮音構造材は板材の左右他方側の端面から左右一方側へ前記遮音構造材のはみ出した寸法以上の距離、寄った位置に備えられていることを特徴とする建築物の遮音建築材料である。
【０００９】
請求項６の発明は、請求項１から５のいずれかに記載した建築物の遮音建築材料において、板材は矩形であり、遮音構造材は前後方向の一端部が板材の端面より突出しており、他端部が前記一端部の突出寸法以上の距離、板材の端面より一端部側へ入り込んでいることを特徴とする建築物の遮音建築材料である。
【００１０】
請求項７の発明は、請求項１から６のいずれかに記載した建築物の遮音建築材料を、板材の端面どうしが接合するように組み合わされて構成したことを特徴とする建築物の遮音床構造である。
【発明の効果】
【００１１】
本発明の建築物の遮音建築材料及び建築物の遮音床構造では、高い遮音性能を得ることができる。また、現場における施工に手間がかからず、施工を簡単に行うことが可能である。
【発明を実施するための最良の形態】
【００１２】
本発明の実施の形態１に係る建築物の遮音床構造図を図１から図４によって説明する。
遮音建築材料１は１枚の板材としての合板２と２つの遮音構造材３とによって構成されている。
合板２は正方形で一辺の寸法が９００ｍｍ、厚さ寸法が１２ｍｍであって、建築物の床材として使用されるものである。合板２の裏面の左端部と中央部には遮音構造材３がそれぞれ固定されて備えられている。
【００１３】
遮音構造材３の詳細な構成について説明する。
遮音構造材３は二本のフレーム部材５と４つの保持部材７とによって構成されている。
フレーム部材５は剛性材料してのステンレス鋼またはスチール鋼によって構成され、幅寸法が３５ｍｍ、長さ寸法が９００ｍｍである。フレーム部材５は左右両端部が直角に折り曲げられた形状で、二本を一組として備えられている。フレーム部材５の両端部には丸穴６が形成されている。
【００１４】
保持部材７は弾性材としての合成ゴムによって構成されている。この保持部材７はほぼ角筒状に形成されており、左右の側板９の上下方向のほぼ中央に外側へ僅かに突出する撓み部１１が形成されている。また、左右の側板９には内部保持板１３ａ、１３ｂが連続して形成されており、内部保持板１３ａ、１３ｂは上下一対設けられている。上側の内部保持板１３はａ一対の撓み部１１の上側の端部付近から内側に向かって延びており、下側の内部保持板１３ｂは一対の撓み部１１の下側の端部付近から内側に向かって延びている。
【００１５】
一対の内部保持板１３ａ、１３ｂはそれぞれ独立しており、左右の側板９、天板１５及び底板１７に対し一定の隙間を開けて備えられている。従って、内部保持板１３ａと左右の側板９と天板１５との間に隙間部１９が形成されている。また、内部保持板１３ｂと左右の側板９と底板１７との間に隙間部２１が形成されている。
隙間部１９、２１はフレーム部材７の横断面形状の対応する形状となっている。
【００１６】
上下の内部保持板１３ａ、１３ｂの対向領域は中空部２３となっており、この中空部２３には介装材としての発泡スチロール製の介装ブロック２５がはめ込まれている。
天板１５、内部保持板１３ａには丸穴２７、２９がそれぞれ形成されている。
底板１７、内部保持板１３ｂにも丸穴２７、２９がそれぞれ形成されている。
【００１７】
二本のフレーム部材５の両端部と途中部分には、保持部材７が合計４つ設けられている。保持部材７は、その隙間部１９、２１にフレーム部材５がそれぞれ嵌められることによって取り付けられている。従って、保持部材７によって二本のフレーム部材５は一定の間隔を空けて保持されている。保持部材７は等間隔で配置されている。
なお、保持部材７の丸穴２７、２９とフレーム部材５の丸穴６は同軸となるように位置している。
【００１８】
２つの遮音構造材３は１枚の合板２に固定されている。即ち、図４に示すように、木ネジ３１は合板２にねじ込まれて、更に底板１７の丸穴２７、フレーム部材５の丸穴６及び内部保持板１３ｂの丸穴２９を貫通して、介装ブロック２５に挿入されており、これにより保持部材７が合板２に底板１７が設置した状態で固定されている。従って、フレーム部材５と合板２との間には隙間が開いている。
【００１９】
図２は遮音建築材料１を裏面側から見た図である。同図において左端部に配置された遮音構造材３は合板２の左端面より２０ｍｍはみ出している。また、中央部に配置された遮音構造材３は合板２の右端面より４３０ｍｍ入り込んでいる。即ち、中央部に配置された遮音構造材３は合板２の右側の端面から左側へ前記左端部に配置された遮音構造材３のはみ出した寸法（２０ｍｍ）以上の距離、寄った位置に備えられている。
【００２０】
また、遮音構造材３は前後方向の一端部である前端部が合板２の前端面より２０ｍｍはみ出して配置され、前後方向の他端部である後端部が合板２の後端面より２０ｍｍ入り込んで配置されている。即ち、遮音構造材３は後端部が前端部の突出寸法と同じ距離、合板２の端面より前端部側へ入り込んでいる。尚、遮音構造材３の合板２の端面より前端部側へ入り込む距離は前端部の突出寸法以上であれば２０ｍｍに限定されない。
２つの遮音構造材３の間の領域には吸音ないし断熱性能を有する合成樹脂製の吸音材３３が合板２に貼り付けられた状態で備えられている。
従って、合板２には図２において右端部に重ねしろ３５が設けられ、後端部に重ねしろ３７が設けられる。
【００２１】
次に、この建築物の遮音構造材３を用いた建築物の遮音床４１を図５、図６によって説明する。
符号４８は建築物の上層階と下層階とを仕切る仕切り材を示し、この仕切り材４８は図示しない建築物を構成する根太に設置されて固定されている。この仕切り材４８にはネジ機構によって高さ調整可能な束５０が並べて設置されている。そして、束５０には支持板４３が支持されている。
支持板４３には合成ゴム製の弾性シート５４が敷設されている。弾性シート５４上に遮音建築材料１が設置されて並べられており、板材２の端面どうしが接合するように隙間なく互いに隣接して配置されている。支持板４３には保持部材７の天板１５（図４においては上側となっているが、図６においては下側となっている。）のみが接合し、フレーム部材５は支持板４３には接触しておらず、隙間が空いている。
板材２の上面には弾性シート５６が敷設され、この弾性シート５６上には仕上げ材５８が敷設されており、この仕上げ材５８が上層階の床の表面を構成する。
【００２２】
遮音建築材料１の重ねしろ３５には図５、６において右側に配置される遮音建築材料１の板材２の左端部に備えられた遮音構造材３のはみ出した部分が重なる。
また、遮音建築材料１の重ねしろ３７には図５において上側（実際には後側）に配置される遮音建築材料１の板材２の前端部に備えられた遮音構造材３のはみ出した部分が重なる。
【００２３】
このように構成された建築物の遮音床４１では、合板２と支持板４３との間に遮音構造材３が介在している。そして遮音構造材３は、保持部材７によって二本のフレーム部材５が一定の間隔を空けて保持されている。また、保持部材５のごく小さい面積部分だけが合板２と支持板４３に接触しており、しかも保持部材５は中空部２３を有し、天板１５と底板１７とは薄板状の左右の側板９だけで連結されている。このため、遮音構造材３は上方から下方へ音（振動）を伝達する部分の横断面積が極めて小さい。
更に保持部材５も合成ゴムによって構成され、しかも側板９には撓み部１１が形成されているので、保持部材５自体も音（振動）を減衰する機能を有している。従って、上層階において発生した音は下層階には殆ど伝わらず、この建築物の遮音床４１は高い遮音性能を発揮することになる。
【００２４】
しかも、仕切り材４８と支持板４３は束５０を介して接触しているので、当該接触箇所においても上方から下方へ音（振動）を伝達する部分の横断面積が極めて小さい。
従って、上層階において発生した音は下層階には殆ど伝わらず、この建築物の遮音床４１は高い遮音性能を発揮することになる。
【００２５】
一方、保持部材７が取り付けられるフレーム部材５は剛性材料によって構成され、しかもある程度の幅寸法を有し、比較的長尺で、合板２の前後方向のほぼ全長に渡って配置されている。従って、合板２の上方からかかる荷重を安定して受け止めることができる。
なお、介装ブロック２５、吸音材３３は、吸音ないし断熱性能を有しているので、遮音、断熱に寄与する。
【００２６】
本実施の形態の遮音建築材料１は合板２に遮音構造材３が固定されており、上記したように遮音建築材料１を並べるだけで遮音床４１を構築できるので施工が簡単で、現場施工の手間を省くことが可能である。
【００２７】
図７に実施の形態２に係る遮音建築材料５１を示す。
本実施の形態の遮音建築材料５１は、実施の形態１の遮音建築材料１における介装ブロック２５をコイルスプリング５５に置換したものであり、他の構造、使用方法は実施の形態１の遮音建築材料１と同様である。このコイルスプリング５５は弾性変形することによって音（振動）を減衰させて吸音性能を発揮する。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では本発明の遮音建築材料を建築物の床に使用した場合を示したが、本発明はこれに限定されず、建築物の壁に使用してもよい。
また、合板は正方形だけでなく、長方形であってもよい。
更に、１枚の板材に１つ或いは３つ以上の遮音構造材を固定する構成としてもよい。
【００２９】
二本を一組とするフレーム部材５に取り付ける保持部材７の数は１つ以上３つ以下でもよく、更に５つ以上であってもよい。
また、上記実施の形態では、遮音構造材３の保持部材７からフレーム部材５が露出する状態で保持されているが、本発明はこれに限定されず、保持部材７の隙間部１９、２１にフレーム部材５が露出しない状態で保持部材７に完全に収容される構成としてもよい。即ち、フレーム部材５の長さ寸法を保持部材７の長さ寸法以下として、フレーム部材５が保持部材７に完全に隠れるように保持させる構成としてもよい。
遮音構造材３は板材２の図５、図６において右端面からはみ出しているが、左端面からはみ出す構成としてもよい。この場合には板材２の重ねしろは左端部に設けられる。また、遮音構造材３は板材２の前端面からはみ出しているが、後端面からはみだす構成とすることも可能である。この場合には重ねしろは板材２の前端部に設けられる。
なお、板材２は正方形に限らず、長方形であってもよい。
【産業上の利用可能性】
【００３０】
本発明の遮音建築材料は建築物の床、壁に利用することに高い遮音性能を発揮することが可能である。
【図面の簡単な説明】
【００３１】
【図１】本発明の実施の形態１に係る建築物の遮音建築材料の斜視図である。
【図２】図１の建築物の遮音建築材料を裏面側から見た図である。
【図３】図１の建築物の遮音建築材料の部分斜視図である。
【図４】図３のＡ−Ａ断面図である。
【図５】図１の建築物の遮音建築材料によって構成した遮音床の平面図である。
【図６】図５の部分横断面図である。
【図７】本発明の実施の形態２に係る、建築物の遮音建築材料の図４に対応する図である。
【符号の説明】
【００３２】
１、５１  建築物の遮音建築材料      ２  合板      ３  遮音構造材
５  フレーム部材      ６  丸穴      ７  保持部材
９  側板９  撓み部      １３ａ、１３ｂ  内部保持板
１５  天板      １７  底板      １９、２１  隙間部
２３  中間部      ２５  介装ブロック      ２７、２９  丸穴
３１  丸穴      ３３  吸音材      ３５  重ねしろ
３７  重ねしろ      ４１  遮音床      ４３  支持板
４８  仕切り材      ５０  束      ５４  弾性シート
５６  弾性シート      ５８  仕上げ材      ５５  コイルスプリング
【図１】
2007314969.tif 000003
【図２】
2007314969.tif 000004
【図３】
2007314969.tif 000005
【図４】
2007314969.tif 000006
【図５】
2007314969.tif 000007
【図６】
2007314969.tif 000008
【図７】
2007314969.tif 000009